(57)【要約】【課題】支柱間に取付けられるＰＣａ腰壁を、室内側からの作業のみで取付けられるようにする。【解決手段】基礎３の上面であって支柱１の外側に位置して嵌合溝４を支柱１の配列方向に形成する。ＰＣａ腰壁５の下端に前記嵌合溝４に嵌合する嵌合突部６を形成する。ＰＣａ腰壁５の下部の内側面にフック８を突設する。ＰＣａ腰壁５を支柱１の外側において、その嵌合突部６を前記嵌合溝４に嵌合して立設し、ＰＣａ腰壁５の上部をボルト接合手段により支柱に仮保持する。次に、ＰＣａ腰壁５のフック８にバール２０を掛けて、このバール２０によりＰＣａ腰壁５の位置調整を行う。この調整後、ＰＣａ腰壁５の上部のボルト接合手段を本締めしてＰＣａ腰壁を支柱１に取付ける。【選択図】図１
2008240243.tif 000002
【特許請求の範囲】
【請求項１】
複数の支柱間にプレキャストコンクリート製の腰壁（以下ＰＣａ腰壁という）を配置して取付ける取付け方法において、複数の支柱の配列方向に設けられた基礎の上面であって、支柱より外側の上面に、支柱の配列方向に沿った嵌合溝を形成し、ＰＣａ腰壁の下面には、前記嵌合溝に嵌合する嵌合突部を形成し、ＰＣａ腰壁の下部の内側面にはフックを突設し、ＰＣａ腰壁の上部と支柱には、これらを接合するボルト接合手段を有し、前記ＰＣａ腰壁を、その下端の嵌合突部を前記嵌合溝に嵌合して立設し、その後、ＰＣａ腰壁の上部を支柱に前記ボルト接合手段により仮止め保持し、その後、室内側からバールを前記フックに係止してそのバールを動かしてＰＣａ腰壁の位置の調整を行い、その後、ＰＣａ腰壁の上部を前記ボルト接合手段により本接合してＰＣａ腰壁を取付けるようにしたことを特徴とするプレキャストコンクリート製の腰壁の取付け方法。
【請求項２】
前記ボルト接合を、Ｌ状の取付具を用い、その水平方向の一片をＰＣａ腰壁の上面にボルト接合し、垂直方向の他片を支柱にボルト接合するように構成したことを特徴とする請求項１記載のプレキャストコンクリート製の腰壁の取付け方法。
【請求項３】
前記Ｌ状の取付具を支柱に取付けるボルトとしてワンサイドボルトを用いたことを特徴とする請求項２記載のプレキャストコンクリート製の腰壁の取付け方法。
【請求項４】
前記フックを環状又はコ字状に形成したことを特徴とする請求項１乃至３のいずれか１項に記載のプレキャストコンクリート製の腰壁の取付け方法。
【発明の詳細な説明】
【技術分野】
【０００１】
本発明は、プレキャストコンクリート製の腰壁の取付け方法に関する。
【背景技術】
【０００２】
従来、建築物において、１階部分の支柱間に外壁を構成するプレキャストコンクリート製の腰壁（以下、ＰＣａ腰壁という）を取付ける場合がある。
【０００３】
このようなＰＣａ腰壁の取付け方法として、従来、図８に示すような取付構造を用いたものがある。
【０００４】
この従来の取付方法は、先ず、基礎１０１部に立設された鉄骨柱１０２、１０２間に、その鉄骨柱１０２の外側で、かつ、基礎１０１上にＰＣａ腰壁１０３を仮置きする。この仮置き状態は、基礎１０１上に高さ調整部材１０４を置いてその上にＰＣａ腰壁１０３を立てて仮置きし、また、ＰＣａ腰壁１０３の上部を、これに設けた取付用鉄板１０５を前記鉄骨柱１０２に溶接固着した取付用ピース１０６に仮溶接Ｗ１して仮保持する。
【０００５】
次に、ＰＣａ腰壁１０３の外側下端縁１０７にバール等の治具を係止してＰＣａ腰壁１０３の前後方向及び左右方向の位置調整作業を行う。
【０００６】
その後、ＰＣａ腰壁１０３の下部に固着した取付用鉄板１０８を基礎１０１に立設した鉄筋１０９と溶接し、更に、前記取付用鉄板１０５を取付用ピース１０６に本溶接し、ＰＣａ腰壁１０３を所定位置に固設する。
【発明の開示】
【発明が解決しようとする課題】
【０００７】
前記従来のＰＣａ腰壁の取付方法（構造）においては、現場での溶接作業であるため、その溶接作業が困難であるとともに品質確保も困難な問題がある。
【０００８】
更に、建方作業はＰＣａ腰壁１０３の内外の両側から行わなければならず、外側からの作業時が必要になる。
【０００９】
更に、ＰＣａ腰壁１０３の下端縁１０７にバール等の治具を係止して位置調整作業を行うと、その下端縁１０７にクラックや欠損が生じる問題もある。
【００１０】
そこで、本発明は、前記の問題を解決するＰＣａ腰壁の取付け方法を提供することを目的とするものである。
【課題を解決するための手段】
【００１１】
前記の課題を解決するために請求項1記載の発明は、複数の支柱間にプレキャストコンクリート製の腰壁（以下ＰＣａ腰壁という）を配置して取付ける取付け方法において、複数の支柱の配列方向に設けられた基礎の上面であって、支柱より外側の上面に、支柱の配列方向に沿った嵌合溝を形成し、ＰＣａ腰壁の下面には、前記嵌合溝に嵌合する嵌合突部を形成し、ＰＣａ腰壁の下部の内側面にはフックを突設し、ＰＣａ腰壁の上部と支柱には、これらを接合するボルト接合手段を有し、前記ＰＣａ腰壁を、その下端の嵌合突部を前記嵌合溝に嵌合して立設し、その後、ＰＣａ腰壁の上部を支柱に前記ボルト接合手段により仮止め保持し、その後、室内側からバールを前記フックに係止してそのバールを動かしてＰＣａ腰壁の位置の調整を行い、その後、ＰＣａ腰壁の上部を前記ボルト接合手段により本接合してＰＣａ腰壁を取付けるようにしたことを特徴とするプレキャストコンクリート製の腰壁の取付け方法である。
【００１２】
請求項２記載の発明は、請求項１記載の発明において、前記ボルト接合を、Ｌ状の取付具を用い、その水平方向の一片をＰＣａ腰壁の上面にボルト接合し、垂直方向の他片を支柱にボルト接合するように構成したことを特徴とするものである。
【００１３】
請求項３記載の発明は、請求項２記載の発明において、前記Ｌ状の取付具を支柱に取付けるボルトとしてワンサイドボルトを用いたことを特徴とするものである。
【００１４】
請求項４記載の発明は、請求項１乃至３のいずれか１項に記載の発明において、前記フックを環状又はコ字状に形成したことを特徴とするものである。
【発明の効果】
【００１５】
請求項１及び２記載の発明によれば、ＰＣａ腰壁の取付けに溶接を用いないため、従来の溶接作業に比べて作業が容易で、品質確保も容易になる。
【００１６】
更に、ＰＣａ腰壁の位置調整作業をバールにより室内側から行うことができ、更に、ＰＣａ腰壁の上部の取付作業も室内側で行え、作業の安全性を図ることができる。
【００１７】
更に、ＰＣａ腰壁にフックを突設し、該フックにバールを係止してＰＣａ腰壁を移動調節するため、従来のようにＰＣａ腰壁にクラックや欠損が生じることがない。
【００１８】
請求項３記載の発明によれば、更に、支柱が、その内側からナットを締めることができない角型鋼管のような場合においても、ＰＣａ腰壁の上部をボルト接合することができる。
【００１９】
請求項４記載の発明によれば、更に、バールによるＰＣａ腰壁の前後、左右方向の位置調整が容易に行える。
【発明を実施するための最良の形態】
【００２０】
本発明を実施するための最良の形態を図１乃至図６に示す実施例に基づいて説明する。
図１は本発明のプレキャストコンクリート製の腰壁（ＰＣａ腰壁という）を支柱間に設置した側断面図である。
【００２１】
図１において、支柱１は、建物の内側Ａと外側Ｂとの境に立設された支柱で、該支柱１は、その横断面図形状が方形の角型鋼管からなる鉄骨柱で形成され、その下部がベースプレート２により基礎部に固定されている。また、該支柱１は、図１の紙面に対して表裏方向に所定の間隔を有して複数配列されている。なお、該支柱１は、その他、Ｈ型鋼等を用いても良い。
【００２２】
前記支柱１の下部付近には、前記複数の支柱１の配列方向（図１の紙面の表裏方向）にコンクリート製の基礎３が設けられている。すなわち、該基礎３は、建物の内側Ａと外側Ｂとの境に位置して外回りの基礎を構成している。
【００２３】
更に、前記基礎３の上面は、前記支柱１の略中間部から支柱１の外側面より突出した位置まで形成され、その上面における支柱１から外側へ突出した面には、上面が開口した座堀からなる嵌合溝４が形成されている。該嵌合溝４は、支柱１の配列方向である前記基礎３の長手方向（紙面の表裏方向）に所定長、すなわち、後述するＰＣａ腰壁５が配置される長さにわたって形成されている。
【００２４】
次に、ＰＣａ腰壁５について説明する。
ＰＣａ腰壁５は所定の左右長と高さと厚みを有する。該ＰＣａ腰壁５の下面には、図１及び図２に示すように、前記嵌合溝４に嵌合する形状で下方へ突出した嵌合突部６が、ＰＣａ腰壁５の側面に平行して全長にわって形成されている。
【００２５】
更に、ＰＣａ腰壁５の下部には、長ナット状のインサート７が埋設され、そのインサート７のねじ穴端がＰＣａ腰壁５の内側面に開口している。そして、ボルト８ａを有するフック８を、そのボルト８ａを前記インサート７に螺着してインサート７に固定し、フック８がＰＣａ腰壁５の内側面から突出するように固設されている。該フック８は、図３に示すように、金属からなる環状に形成されている。該フック８は、ＰＣａ腰壁５の左右方向（紙面の表裏方向）において複数、例えば、両端部近傍に位置して２個設けられている。また、フック８は、図に示すように、その中央穴が上下方向に貫通する状態に設けておく。
【００２６】
前記ＰＣａ腰壁５の上面部には、長ナット状のインサート９が埋設され、そのインサート９のねじ穴端がＰＣａ腰壁５の上面に開口している。そして、図４に示すように、金属板をＬ状に折曲した取付具１０の水平方向の一片１０ａが、これに形成した取付穴１０ｂにボルト１１を挿通してそのボルト１１を前記インサート９に螺着することにより、ＰＣａ腰壁５の上面に固設できるようになっている。この取付穴１０ｂの直径は、ボルト１１のねじ部径より大径で、かつ、座金１２の直径より小径に形成されており、ＰＣａ腰壁５に対する取付具１０の取付位置の調整ができるようになっている。
【００２７】
前記取付具１０の垂直方向の他片１０ｃには取付穴１０ｄが形成されている。そして、図１に示すように、支柱１に取付けられたボルト１３に、他片１０ｃの取付穴１０ｄを挿通し、ボルト１３にナット１４を螺着することにより、取付具１０を支柱１に固定できるようになっている。前記取付穴１０ｄの直径は、ボルト１３のねじ部径より大径で、かつ、座金１４の直径より小さく設定されており、支柱１に対する他片１０ｃの取付位置を調整できるようになっている。
【００２８】
前記ボルト１３として、例えば、ワンサイドボルトを用いる。該ワンサイドボルトとしては、例えば、図５に示すように、ボルト１３の先端に頭部１３ａを有し、ボルトのねじ部外周に金属筒からなり、一部にスリットを形成した係止筒１３ｂを遊嵌し、これを支柱１に形成した取付穴１ａに図示のように支柱１の外側から挿入し、ボルト１３の外側端１３ｃを専用ドライバーで外側方向に引くことにより、係止筒１３ｂが、頭部１３ａと座金１３ｄ間で図５の鎖線のように屈曲して塑性変形し、ボルト１３の抜け外れを阻止する構造のものを使用する。
【００２９】
前記インサート９、ボルト１０、取付具１１、ボルト１３、ナット１４によりボルト接合手段３０を構成している。
【００３０】
図１において、１５は、前記嵌合溝４と嵌合突部６間に介在したレベル調整部材、１６は敷きモルタル、１８は水切板、１９は外壁仕上材を示す。また、２０はＰＣａ腰壁５の位置調整作業に使用するバールで、一般に仕込みバールと称されるものを使用する。
【００３１】
次に、ＰＣａ腰壁５の取付け方法について説明する。
先ず、基礎３の嵌合溝４の底面に、レベル調整部材１５を嵌合溝４の長手方向に部分的に配置するとともに嵌合溝４内に敷きモルタル１６を敷く。
【００３２】
次に、設置するＰＣａ腰壁５をクレーンなどにより吊り下げて、支柱１の外側部に配置し、その下面に形成された嵌合突部６を基礎３の嵌合溝部４内に、レベル調整部材１５に載置して嵌合する。
【００３３】
次に、取付具１０の一片１０ａの取付穴１０ｂをＰＣａ腰壁５のインサート９に合致させ、ボルト１１を取付穴１０ｂを通じてインサート９に仮締めする。
【００３４】
次に、取付具１０の他片１０ｃを、取付穴１０ｄを通じてワンサイドボルトのボルト１３に挿通し、そのワンサイドボルトを支柱１に挿入し、専用ドライバーでボルト１３を外側へ引き、係止筒１３ｂを未完状態に屈曲させて、仮締めする。これにより、ＰＣａ腰壁５の上部が支柱１に仮保持される。
【００３５】
前記のボルト接合手段３０によるＰＣａ腰掛５の上部の仮保持作業は、支柱１、１間の空間を通じてＰＣａ腰壁５の内側（室内側）から行うことができる。
【００３６】
次に、ＰＣａ腰壁５の内側（室内側）において、仕込みバール２０の先部屈曲点Ｃを図１に示すように基礎３の上面に当て、その先部に折曲形成した引掛け部２０ａを、ＰＣａ腰壁５に突設した環状のフック８の穴部に通して引っ掛ける。この状態で、仕込みバール２０の把持側を矢印のように上下に動かすと、基礎３との接触点Ｃを支点として引っ掛け部２０ａが前後方向に動き、フック８を介してＰＣａ腰壁５の下部が室の内外方向に移動する。また、この仕込みバール２０により、ＰＣａ腰壁５を、その左右方向（柱列方向）に移動することもできる。
【００３７】
したがって、作業者が室内側に位置して仕込みバール２０でＰＣａ腰壁５の前後方向及び左右方向の位置の微調整を行うことができる。また、仕込みバール２０を使用することにより、テコの原理を利用して、容易に微調整できる。
【００３８】
前記の微調整時には、ＰＣａ腰壁５の上部に配置した取付具１０の各取付穴１０ｂ、１０ｄが、各ボルト１１、１３より大径に形成されているため、ＰＣａ腰壁５の微調整による移動が可能である。
【００３９】
そして、前後、左右の微調整後、支柱１、１間の空間を通じて室内側から前記ボルト１１の本締め及び専用ドライバーによるワンサイドボルトのナット１４の本締めをして本接合しＰＣａ腰壁５を所定位置に固定する。
【００４０】
そして、前記のＰＣａ腰壁５の設置作業が終了した後、前記フック８の穴に図６に示すようにアンカー筋２２を挿通して備える。
【００４１】
そして、１階床のコンクリート２３をＦ１まで打設する。このコンクリート２３の硬化により、アンカー筋２２が床コンクリート２３内に埋設されて、ＰＣａ腰壁５が強固に保持される。
【００４２】
なお、前記ボルト１３は、支柱１が角型鋼管であるため、ワンサイドボルトを用いたが、支柱１がＨ型鋼等、内外の両側からボルトとナットの締め付けができるものである場合には、ボルト１３は、通常のボルトとナットを使用しても良い。
【００４３】
更に、前記取付具１０における取付穴１０ｂを前後方向の長穴とし、取付穴１０ｄを上下方向の長穴に形成しても良い。
【００４４】
また、前記フック８を、図７に示すように、鉄筋をコ字状に折曲してフック部８ｂを形成するとともに、基部を外方へ折曲して係止部８ｃを形成したフック８Ａとし、そのフック部８ｂをＰＣａ腰壁５より突出し、基部８ｃ側をＰＣａ腰壁５内に埋設してもよい。
【００４５】
このフック８Ａによれば、前記図３に示すフック８よりも安価に形成できる。
【図面の簡単な説明】
【００４６】
【図１】本発明の実施例を示す側断面図。
【図２】図１におけるＰＣａ腰壁の嵌合突部を示す斜視図。
【図３】図１におけるフックを示す平面図。
【図４】図１における取付具を示す斜視図。
【図５】図１におけるボルト１３の取付状態を示す拡大側断面図。
【図６】図１に示すフックにアンカー筋を挿通して備えた側面図。
【図７】フックの他の実施例を示す平面図。
【図８】従来のＰＣａ腰壁の取付構造を示す側断面図。
【符号の説明】
【００４７】
１  支柱
３  基礎
４  嵌合溝
５  ＰＣａ腰壁
６  嵌合突部
８、８Ａ  フック
１０  取付具
１１、１３  ボルト
３０  ボルト接合手段
【図１】
2008240243.tif 000003
【図２】
2008240243.tif 000004
【図３】
2008240243.tif 000005
【図４】
2008240243.tif 000006
【図５】
2008240243.tif 000007
【図６】
2008240243.tif 000008
【図７】
2008240243.tif 000009
【図８】
2008240243.tif 000010